(57)【要約】【課題】用紙積載部材の破損及び脱落を防止することができる後処理装置を提供する。【解決手段】記録材が積載される第１の積載部と、前記第１の積載部の一端側に連結され、前記記録材を支持する延長部材と、複数の記録材が記録材束として積載され、前記記録材束の排出方向と交差する方向に移動可能に配置された第２の積載部と、を備え、前記延長部材が、前記第１の積載部に対して前記第２の積載部に近接する方向に回転不能に、且つ前記第２の積載部と離隔する方向に回転可能に連結されている。【選択図】図５
2015009978.tif 000002
【特許請求の範囲】
【請求項１】
記録材が積載される第１の積載部と、
前記第１の積載部の一端側に連結され、前記記録材を支持する延長部材と、
複数の記録材が記録材束として積載され、前記記録材束の排出方向と交差する方向に移動可能に配置された第２の積載部と、を備え、
前記延長部材が、前記第１の積載部に対して前記第２の積載部に近接する方向に回転不能に、且つ前記第２の積載部と離隔する方向に回転可能に連結されている、
ことを特徴とする後処理装置。
【請求項２】
前記第１の積載部に設けられ、前記延長部材を回転可能に連結する支持軸と、
前記延長部材の一端側に形成され、前記支持軸に挿入される孔と、を有し、
前記支持軸が少なくとも一部が円筒断面形状を有する第１の支持軸部と、ダブルＤカット断面形状を有する第２の支持軸部とからなり、
前記孔が前記第１の支持軸部に挿入される凹部断面形状を有する第１の連結部と、前記第２の支持軸部に挿入されるスナップフィット部を有している、
ことを特徴とする請求項１に記載の後処理装置。
【請求項３】
前記第２の支持軸部の前記ダブルＤカット断面形状のカット面が、前記延長部材が前記第１の積載部に対して前記第２の積載部に近接する方向に回転不能に連結された状態を基準位置として、前記延長部材の回転方向に対して９０度以上の範囲に形成されている、
ことを特徴とする請求項１又は２に記載の後処理装置。
【発明の詳細な説明】
【技術分野】
【０００１】
本発明は、後処理装置に関する。
【背景技術】
【０００２】
シート材を積載するシート材積載部、このシート材積載部に取り付けた補助トレイ部およびシート材積載部と補助トレイ部とを回動可能に結合するヒンジ部からなり、補助トレイ部を回動させることにより積載可能なシート材の全長を拡大させることが可能なシート積載トレイにおいて、ヒンジ部を回動軸となる突起部とこの突起部を回動可能に支持する軸受部とから構成し、突起部を弾性体で形成したシート積載トレイが知られている（特許文献１）。
【０００３】
用紙トレイを上下方向に移動するための上下駆動手段と、用紙トレイを上下方向に駆動するためのモータと、モータの回転を上下方向に伝達する伝達機構を備えた用紙トレイ駆動装置において、伝達機構は、モータにより回転するウォームギヤと、ウォームギヤに噛合可能であって軸方向に移動可能なウォームホイールと、ウォームホイールに対して同軸のギヤと、ウォームギヤとウォームホイールが噛合可能なように附勢する附勢手段とを備え、回転方向に嵌合可能であって軸方向に離脱可能な凹部と凸部をウォームホイールとギヤに設けた用紙トレイ駆動装置も知られている（特許文献２）。
【先行技術文献】
【特許文献】
【０００４】
【特許文献１】特開平１０−１６７５４７号公報
【特許文献２】特開平５−１８６１２３号公報
【発明の概要】
【発明が解決しようとする課題】
【０００５】
本発明は、用紙積載部材の破損及び脱落を防止することができる後処理装置を提供することを目的とする。
【課題を解決するための手段】
【０００６】
前記課題を解決するために、請求項１に記載の後処理装置は、
記録材が積載される第１の積載部と、
前記第１の積載部の一端側に連結され、前記記録材を支持する延長部材と、
複数の記録材が記録材束として積載され、前記記録材束の排出方向と交差する方向に移動可能に配置された第２の積載部と、を備え、
前記延長部材が、前記第１の積載部に対して前記第２の積載部に近接する方向に回転不能に、且つ前記第２の積載部と離隔する方向に回転可能に連結されている、
ことを特徴とする。
【０００７】
請求項２記載の発明は、請求項１に記載の後処理装置において、
前記第１の積載部に設けられ、前記延長部材を回転可能に連結する支持軸と、
前記延長部材の一端側に形成され、前記支持軸に挿入される孔と、を有し、
前記支持軸が少なくとも一部が円筒断面形状を有する第１の支持軸部と、ダブルＤカット断面形状を有する第２の支持軸部とからなり、
前記孔が前記第１の支持軸部に挿入される凹部断面形状を有する第１の連結部と、前記第２の支持軸部に挿入されるスナップフィット部を有している、
ことを特徴とする。
【０００８】
請求項３記載の発明は、請求項１又は２に記載の後処理装置において、
前記第２の支持軸部の前記ダブルＤカット断面形状のカット面が、前記延長部材が前記第１の積載部に対して前記第２の積載部に近接する方向に回転不能に連結された状態を基準角度として、前記延長部材の回転方向に対して９０度以上の範囲に形成されている、
ことを特徴とする。
【発明の効果】
【０００９】
本発明によれば、用紙積載部材の破損及び脱落を防止することができる。
【図面の簡単な説明】
【００１０】
【図１】画像形成システム１の内部構成を示す断面模式図である。
【図２】（ａ）は用紙の排出側に視点をおいた後処理装置２００本体の斜視図、（ｂ）はトップトレイ本体ＴＲ１ａに延長トレイＴＲ１ｂを連結した状態の斜視図である。
【図３】トップトレイ本体ＴＲ１ａの斜視図である。
【図４】（ａ）は延長トレイＴＲ１ｂの斜視図、（ｂ）は連結孔部２４１Ｒ、２４１Ｌの拡大図である。
【図５】トップトレイ本体ＴＲ１ａと延長トレイＴＲ１ｂの連結方法を説明するための要部断面図である。
【図６】トップトレイＴＲ１の断面模式図、（ｂ）はトップトレイＴＲ１がスタッカトレイＴＲ２と離隔する方向に回転した状態を示す断面模式図である。
【図７】（ａ）は後処理装置２００の斜視図、（ｂ）はトップトレイＴＲ１がスタッカトレイＴＲ２と離隔する方向に回転した状態を示す斜視図である。
【図８】後処理装置３００の斜視図である。
【図９】トップトレイＴＲ１００の用紙積載面側の斜視図である。
【図１０】トップトレイＴＲ１００の回転を説明するための断面模式図である。
【図１１】用紙の排出側に視点をおいた比較例の後処理装置４００本体の斜視図である。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１２】
「第１実施形態」
（１）画像形成システムの全体構成及び動作
図１は本実施形態が適用される画像形成システム１を示す概略構成図である。図１に示す画像形成システム１は、電子写真方式によって画像を形成するプリンタや複写機等の画像形成装置２と、画像形成装置２によってトナー像が形成された用紙Ｐに後処理を施す用紙処理装置３とを備えている。以下、図面を参照しながら、画像形成システム１の全体構成及び動作を説明する。
【００１３】
（１．１）画像形成装置２の全体構成と動作
画像形成装置２は、制御装置１０、給紙装置２０、感光体ユニット３０、現像装置４０、転写装置５０、定着装置６０、とを備えて構成されている。画像形成装置２の上面（Ｚ方向）には、搬送装置１００が配置され、画像が記録された用紙Ｐが後処理装置２００へと導かれる。
【００１４】
制御装置１０は、画像形成装置２の動作を制御する画像形成装置制御部１１と、印刷処理要求に応じた画像データを準備するコントローラ部１２、露光装置ＬＨの点灯を制御する露光制御部１３、電源装置１４等を有する。電源装置１４は、後述する帯電ローラ３２、現像ローラ４２、一次転写ローラ５２、二次転写ローラ５３等に電圧を印加するとともに、露光装置ＬＨに電力を供給する。
【００１５】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１６】
画像形成装置２の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１７】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１８】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００１９】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２０】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、とから構成されている。
【００２１】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２２】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２３】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２４】
定着装置６０は定着ローラ６１と加圧ローラ６２を有し、定着ローラ６１と加圧ローラ６２の圧接領域によってニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の定着ローラ６１と加圧ローラ６２により、圧着と加熱の作用でトナー像が定着される。
定着トナー像が形成された用紙Ｐは、搬送ガイド６５ａ、６５ｂによってガイドされ、排出ローラ対６９から画像形成装置２上面に配置された搬送装置１００へ排出される。
【００２５】
（１．２）用紙処理装置の構成と動作
用紙処理装置３は、画像形成装置２から出力された用紙Ｐを更に下流側に搬送する搬送装置１００と、例えば用紙Ｐを集めて束ねるコンパイルトレイ２１０や用紙Ｐの端部を綴じる針綴じ機構（綴じ部）２２０などを含む後処理装置２００とを備えている。
【００２６】
搬送装置１００は、画像形成装置２の排出ローラ対６９を介して出力される用紙Ｐを受け取る入口ローラ１１０と、この入口ローラ１１０にて受け取られた用紙Ｐを下流側へと搬送する第１搬送ローラ１２０と、後処理装置２００に向けて用紙Ｐを搬送する第２搬送ローラ１３０とを有する。
【００２７】
後処理装置２００は、搬送装置１００から用紙Ｐを受け取る受け取りローラ２０１の下流側に第１の後処理搬送路Ｓ１と第２の後処理搬送路Ｓ２とを有し、この第１の後処理搬送路Ｓ１と第２の後処理搬送路Ｓ２とは後処理切り替えゲートＧにより選択されるようになっている。
第１の後処理搬送路Ｓ１は、トップトレイＴＲ１に接続されており、この第１の後処理搬送路Ｓ１からは排出ローラ２０２により後処理がなされない用紙Ｐが排出される。
【００２８】
後処理装置２００は、第２の後処理搬送路Ｓ２の下流側に設けられ用紙Ｐを複数枚集めて収容するコンパイルトレイ２１０と、コンパイルトレイ２１０に向けて用紙Ｐを排出する一対のローラである排出ローラ２０４とを備えている。
【００２９】
また、後処理装置２００は、用紙Ｐをコンパイルトレイ２１０のエンドガイド２１０ｂに向けて押し込むよう回転するパドル２０７と、用紙Ｐの端部を揃えるためのタンパ２０８とを備えている。
さらに、後処理装置２００は、コンパイルトレイ２１０に集積された用紙束ＰＢの端部を綴じる針綴じ機構２２０を有し、綴じられた用紙束ＰＢはイジェクトローラ（用紙束搬送ローラ）２０９によって搬送、排出される。
【００３０】
そして、後処理装置２００は、イジェクトローラ２０９によって排出された用紙束ＰＢを使用者が取りやすいようにして積み重ねる第２の積載部としてのスタッカトレイＴＲ２を備える。
【００３１】
（２）トップトレイの構成
図２（ａ）は用紙の排出側に視点をおいた後処理装置２００本体の斜視図、（ｂ）はトップトレイ本体ＴＲ１ａに延長トレイＴＲ１ｂを連結した状態の斜視図、図３はトップトレイ本体ＴＲ１ａの斜視図、図４（ａ）は延長トレイＴＲ１ｂの斜視図、（ｂ）は連結孔部２４１Ｒ、２４１Ｌの拡大図、図５はトップトレイ本体ＴＲ１ａと延長トレイＴＲ１ｂの連結方法を説明するための要部断面図である。以下、図面を参照しながらトップトレイＴＲ１の構成について説明する。
【００３２】
トップトレイＴＲ１は、後処理装置２００の本体フレームＦＲに固定されたトップトレイ本体ＴＲ１ａとトップトレイ本体ＴＲ１ａに連結された延長トレイＴＲ１ｂからなり、排出ローラ２０２により排出された用紙Ｐが積載される。
トップトレイＴＲ１の下方には、後述するスタッカトレイＴＲ２が装着されるトレイ装着板２００ａが配置され、後処理装置２００の本体に設けられた昇降装置（不図示）で昇降する。
【００３３】
（２．１）トップトレイ本体
図３に示すように、トップトレイ本体ＴＲ１ａは、一端側に位置決め接続部２３３と、両端側の側壁２３１Ｒ、２３１Ｌに形成された固定部２３２Ｒ、２３２Ｌとを有し、公知の締結部材（ネジ：不図示）で後処理装置２００の本体フレームＦＲへ固定される。
【００３４】
トップトレイ本体ＴＲ１ａの他端側には、延長トレイＴＲ１ｂが連結される第１の支持軸部としての支持軸２３４が一体として形成されている。支持軸２３４は一部が円筒断面形状で、一端側には第２の支持軸部としてのダブルＤカット面２３５が形成されている。
また、延長トレイＴＲ１ｂが連結される一端の上面には、用紙Ｐが積載される延長トレイＴＲ１ｂを下方から支持するように、支持部２３６が形成されている。
【００３５】
（２．２）延長トレイ
図４（ａ）（ｂ）に示すように、延長トレイＴＲ１ｂの一端側には、トップトレイ本体ＴＲ１ａの支持軸２３４に嵌る連結孔部２４１Ｒ、２４１Ｌが一体として形成されている。
連結孔部２４１Ｒ、２４１Ｌはそれぞれスナップフィット部２４２と第１の連結部としての回転支持部２４３を有している。スナップフィット部２４２は、トップトレイ本体ＴＲ１ａに形成されたダブルＤカット面２３５に嵌めこまれ、回転支持部２４３は凹部断面形状を有し、トップトレイ本体ＴＲ１ａに形成された支持軸２３４に嵌めこまれる。
【００３６】
図５に示すように、トップトレイ本体ＴＲ１ａと延長トレイＴＲ１ｂの連結は、延長トレイＴＲ１ｂをトップトレイ本体ＴＲ１ａに対して略鉛直に立てた状態で、トップトレイ本体ＴＲ１ａの支持軸２３４にスナップフィット部２４２と回転支持部２４３を合わせて図５中の矢印Ａ方向に嵌めこむ。
その後、延長トレイＴＲ１ｂを図５中の矢印Ｂ方向に回転させて、トップトレイ本体ＴＲ１ａの支持部２３６で下方から支持することで、第１の積載部としてのトップトレイＴＲ１となる。
【００３７】
（３）後処理装置の動作とトップトレイの作用
図６（ａ）はトップトレイＴＲ１の断面模式図、（ｂ）はトップトレイＴＲ１がスタッカトレイＴＲ２と離隔する方向に回転した状態を示す断面模式図、図７（ａ）は後処理装置２００の斜視図、（ｂ）はトップトレイＴＲ１がスタッカトレイＴＲ２と離隔する方向に回転した状態を示す斜視図、図１１は用紙の排出側に視点をおいた比較例の後処理装置４００本体の斜視図である。
以下、本実施形態に係る後処理装置２００の動作について説明するまえに、比較例として延長トレイＴＲ１０ｂが引き出し可能に構成されている後処理装置４００の問題点について説明する。尚、以下の説明において、共通の構成要素には、同一の符号を付し、その詳細な説明は省略する。
【００３８】
（３．１）比較例の後処理装置
後処理装置４００は、後処理装置４００の本体フレームＦＲに固定されたトップトレイ本体ＴＲ１０ａと、トップトレイ本体ＴＲ１０ａに連結された延長トレイＴＲ１０ｂを備えている。延長トレイＴＲ１０ｂは、トップトレイ本体ＴＲ１ａに対して引き出し可能に構成されている（図１１中、矢印Ａ参照）。
【００３９】
トップトレイＴＲ１０の下方には、後処理された用紙束ＰＢを積載するスタッカトレイＴＲ２０が配置されている。スタッカトレイＴＲ２０は、後処理装置４００の本体に設けられた昇降装置（不図示）で昇降する（図１１中、矢印Ｂ参照）。
【００４０】
このように構成された後処理装置４００には、用紙ＰがトップトレイＴＲ１０へ排出されて積載される。
また、例えば、コンパイルトレイ２１０に集積され針綴じ機構２２０で綴じられた用紙束ＰＢは、イジェクトローラ２０９によって排出されスタッカトレイＴＲ２０に積載される。そして、スタッカトレイＴＲ２０は、積載された用紙束ＰＢの最上面の高さに応じて昇降するように構成されている。
【００４１】
このように構成されるスタッカトレイＴＲ２０は、使用者が排出された用紙束ＰＢを取り出した後は、トップトレイＴＲ１０に近接するように上昇する。
一方、スタッカトレイＴＲ２０に多量の用紙束ＰＢが積載されたまま上昇した場合には、その上方に固定されたトップトレイＴＲ１０に接触して、トップトレイＴＲ１０を破損するする虞があった。
【００４２】
（３．２）本実施形態の後処理装置
本実施形態に係る後処理装置２００は、後処理装置２００の本体フレームＦＲに固定されたトップトレイ本体ＴＲ１ａに延長トレイＴＲ１ｂが回転可能に連結され、排出ローラ２０２により排出された用紙Ｐが積載される。
トップトレイＴＲ１の下方には、スタッカトレイＴＲ２が昇降可能に配置され、イジェクトローラ２０９によって排出された用紙束ＰＢが積載される。
【００４３】
延長トレイＴＲ１ｂは、スナップフィット部２４２がダブルＤカット面２３５に嵌めこまれた後は、トップトレイ本体ＴＲ１ａの支持軸２３４の円筒形状に対してはアンダーカットを形成して、スタッカトレイＴＲ２に近接する方向に回転不能に且つスタッカトレイＴＲ２と離隔する方向には回転可能に接続されている。
【００４４】
そのために、延長トレイＴＲ１ｂは、トップトレイ本体ＴＲ１ａの支持軸２３４に連結された状態では、例えば下方からスタッカトレイＴＲ２が移動して接触した場合にも、スタッカトレイＴＲ２の移動方向から離間する方向に回転してトップトレイＴＲ１の破損や脱落を防止することができる（図７（ｂ）参照）。
【００４５】
「第２実施形態」
図８は本実施形態に係る後処理装置３００の斜視図、図９はトップトレイＴＲ１００の用紙積載面側の斜視図、図１０はトップトレイＴＲ１００の回転を説明するための断面模式図である。以下、図面を参照しながら後処理装置３００におけるトップトレイＴＲ１００の構成及び作用を説明する。尚、以下の説明において、後処理装置２００と共通の構成要素には、同一の符号を付し、その詳細な説明は省略する。
【００４６】
図８に示すように、本実施形態に係る後処理装置３００は、トップトレイＴＲ１００が後処理装置３００の本体フレームＦＲに回転可能に配置されたトップトレイ本体ＴＲ１００ａと、トップトレイ本体ＴＲ１００ａに連結された延長トレイＴＲ１００ｂを備えている。延長トレイＴＲ１００ｂは、トップトレイ本体ＴＲ１００ａに対して引き出し可能に構成されている。
【００４７】
トップトレイ本体ＴＲ１００ａには、一端側に複数の突起部３０３が形成され、突起部３０３が後処理装置３００本体の排紙壁部３１０に設けられた角穴部（不図示）に挿入されてトップトレイＴＲ１００の回転支持部となる。
【００４８】
図１０に示すように、トップトレイ本体ＴＲ１００ａは、下面（用紙積載面の裏面）側に脚部３０１が一体として形成されている。また、後処理装置３００本体には回転受け部３０２が立設されている。
【００４９】
このように構成された後処理装置３００において、トップトレイ本体ＴＲ１００ａは、下方から接触を受けると、図１０（ｂ）中の矢印Ｃの範囲内で下方から上方へ回転して脚部３０１の先端部３０１ａが回転受け部３０２に当接した状態で回転が停止する。
そのために、下方からスタッカトレイＴＲ２が移動して接触した場合にも、スタッカトレイＴＲ２の移動方向から離間する方向に回転してトップトレイＴＲ１００の破損を抑制することができる。
【００５０】
図１０（ｂ）中の矢印Ｃの範囲は、トップトレイＴＲ１００が接触を受けたときに破損を防止できる範囲で設定することができる。一例として５度〜１０度の範囲に設定することで、スタッカトレイＴＲ２の移動停止検知をした後、スタッカトレイＴＲ２がトップトレイＴＲ１００側に惰性移動して接触した場合にも、トップトレイＴＲ１００の破損を抑制することができる。
【符号の説明】
【００５１】
１・・・画像形成システム
２・・・画像形成装置
３・・・用紙処理装置
１０・・・制御装置
２０・・・給紙装置
３０・・・感光体ユニット
４０・・・現像装置
５０・・・転写装置
６０・・・定着装置
６９・・・排出ローラ対（画像形成装置２）
１００・・・搬送装置
２００、３００、４００・・・後処理装置
２１０・・・コンパイルトレイ
２２０・・・針綴じ機構
ＴＲ１、ＴＲ１０、ＴＲ１００・・・トップトレイ
ＴＲ１ａ、ＴＲ１０ａ、ＴＲ１００ａ・・・トップトレイ本体
ＴＲ１ｂ、ＴＲ１０ｂ、ＴＲ１００ｂ・・・延長トレイ
２３４・・・支持軸
２３５・・・ダブルＤカット面
２３６・・・支持部
２４１Ｒ、２４１Ｌ・・・連結孔部
２４２・・・スナップフィット部
２４３・・・回転支持部
３０１・・・脚部（トップトレイ本体）
３０１ａ・・・先端部（脚部）
３０２・・・回転受け部（後処理装置本体）
ＴＲ２、ＴＲ２０・・・スタッカトレイ
【図１】
2015009978.tif 000003
【図２】
2015009978.tif 000004
【図３】
2015009978.tif 000005
【図４】
2015009978.tif 000006
【図５】
2015009978.tif 000007
【図６】
2015009978.tif 000008
【図７】
2015009978.tif 000009
【図８】
2015009978.tif 000010
【図９】
2015009978.tif 000011
【図１０】
2015009978.tif 000012
【図１１】
2015009978.tif 000013